(57)【特許請求の範囲】
【請求項１】
物品を吊り下げる第１鉤状部、該第１鉤状部に連設された嵌合軸部、及び該嵌合軸部の上端部に設けられた係止部を有する第１フックと、
前記第１鉤状部の内側に収められている第２鉤状部、該第２鉤状部の上端部の側方に連設され、前記嵌合軸部に回転可能に嵌合される嵌合筒部、及び前記第２鉤状部の上端部の前記嵌合筒部が連設されている側と反対側に設けられた把手部を有する第２フックと、
該嵌合筒部上に載置され、前記係止部を回転可能に軸支する軸支部と
を備え、
前記第１フック及び第２フックは、Ｊ字状をなすことを特徴とする吊り下げ具。
【請求項２】
ベルト通し部を有し、前記軸支部を挟持する挟持部と、
前記ベルト通し部に通され、巻き付けられて留められるベルトと
を備える請求項１に記載の吊り下げ具。
【請求項３】
前記ベルトの裏面に面ファスナを備える請求項２に記載の吊り下げ具。
【請求項４】
前記係止部は、内周側にピン挿通孔を有する筒状体であり、周方向に複数箇所分割してあり、上部に外周側に突出した突起部を有し、
前記軸支部は筒状で、内周側下部に、内径が上部の内径より小さい段部を有し、
前記突起部を前記段部に引っ掛けて、前記ピン挿通孔にピンを挿通し、前記係止部が該ピンにより外周側に押し広げられた状態で、前記段部に係止される請求項１乃至３のいずれかに記載の吊り下げ具。
【請求項５】
前記挟持部が軸支部を挟んだ状態で、該軸支部が回転出来るように、該挟持部及び軸支部にピンが架け渡されている請求項１乃至４のいずれかに記載の吊り下げ具。
【発明の詳細な説明】
【技術分野】
【０００１】
本発明は、鉤状の端部に物品を吊り下げるフックを有する吊り下げ具に関する。
【背景技術】
【０００２】
乳幼児を同伴した人が出掛ける場合は、乳幼児をベビーカーに乗せることが多い。この際、カバン又は買物袋等をベビーカーの手押し部に吊り下げてベビーカーを移動させることがよく行われている。
【０００３】
従来、カバン又は買物袋等をベビーカーの手押し部に吊り下げるフックとしてＳ字状のフックが使用されている。しかし、ベビーカーの手押し部を支持する支持部が上下方向に設けられている場合に、このようなＳ字状のフックをベビーカーの手押し部に掛けて使用したときは、ベビーカーを押しているときの振動でＳ字状のフックがずれて、前記支持部をＳ字状のフックが滑り落ちることがある。Ｓ字状のフックが滑り落ちた場合、カバン又は買物袋等が地面に擦れる、又はＳ字状のフックが滑り落ちてベビーカーの一部に衝突した際の衝撃でカバン又は買物袋等がＳ字状のフックから外れて地面に落下する等の問題が生じる。カバン若しくは買物袋等が地面に擦れた場合、又は落下した場合は、カバン若しくは買物袋等の内容物が破損する、又はベビーカーの移動が妨げられる。
【０００４】
上述のフックずれに起因するカバン又は買物袋等の落下等の問題を解決すべく、特許文献１には、ベルトの一端に吊り部を有すると共に、他端にベルト締め部を有する構成としたベビーカー用荷物袋又はカゴの吊り下げ具の発明が開示されている。この吊り下げ具は、ベビーカーの手押し部にベルトを巻き付け、吊り部を有する一端をベルト締め部に通し、吊り部を下に引いてベルトを締めることでベビーカーの手押し部に固定するように構成されている。このように取り付けて固定することで、カバン又は買物袋等の自重によりベルトが下方に引っ張られ、ベビーカーの手押し部を締め付けるので、この吊り下げ具がベビーカーの手押し部からずれて滑り落ちることはなく、ずれて滑り落ちることに起因するカバン又は買物袋等の落下等の問題は発生しない。
【特許文献１】特開平９−２２６５９４号公報
【発明の開示】
【発明が解決しようとする課題】
【０００５】
しかし、上述のＳ字状のフックの場合、手押し部に掛けた側の鉤の向きによって、物品を吊り下げる側の鉤の向きが一方向に決まってしまうか、ごく限られた範囲内で鉤の向きを変えることができるだけであるので、フックに吊り下げた物品の向きを自由に変えることが出来ないという問題がある。
また、特許文献１の吊り下げ具を手押し部に取り付ける場合、上述したように、ベビーカーの手押し部にベルトを巻き付け、吊り部を有する一端をベルト締め部に通し、吊り部を下に引いてベルトを締めなければならず、掛け外しが困難であるという問題がある
さらに、ベビーカーを押して出掛ける場合、荷物が１つでは済まないことも多く、Ｓ字状のフック及び特許文献１の吊り下げ具の場合、荷物は１つしか吊り下げられないので、１つの荷物は手で持つか、肩に掛けることになって、片手でベビーカーを押すことになり、安全上の問題があった。
【０００６】
本発明は斯かる事情に鑑みてなされたものであり、各別に回転することが出来る２つのフックを有することにより、２つの物品を同時に吊り下げることが出来るとともに、フックに吊り下げた物品の向きを自由に変えることが出来る吊り下げ具を提供することを目的とする。
【０００７】
また、本発明は、巻き付けられて留められるベルトを有することにより、容易に外部部材に取り付けることが出来る吊り下げ具を提供することを目的とする。
【課題を解決するための手段】
【０００８】
第１発明に係る吊り下げ具は、物品を吊り下げる第１鉤状部、該第１鉤状部に連設された嵌合軸部、及び該嵌合軸部の上端部に設けられた係止部を有する第１フックと、前記第１鉤状部の内側に収められている第２鉤状部、該第２鉤状部の上端部の側方に連設され、前記嵌合軸部に回転可能に嵌合される嵌合筒部、及び前記第２鉤状部の上端部の前記嵌合筒部が連設されている側と反対側に設けられた把手部を有する第２フックと、該嵌合筒部上に載置され、前記係止部を回転可能に軸支する軸支部とを備え、前記第１フック及び第２フックは、Ｊ字状をなすことを特徴とする。
【０００９】
本発明においては、第１フックと第２フックとの２つのフックを有するので、２つの物品を同時に吊り下げることが出来る。
また、第２フックは第１フックに対して回転することが出来、第１フックは軸支部に対して回転することが出来るので、フックに吊り下げた物品の向きを自由に変えることが出来、同時に吊り下げた２つの物品がぶつからないようにすることが出来る。
そして、本発明においては、第１フック及び第２フックの形状がＪ字状であるので、安定的に物品を吊り下げることが出来る。また、第２フックが把手部を備えるので、この把手部を持って容易に第２フックを回転させることが出来る。
【００１０】
第２発明に係る吊り下げ具は、第１発明において、ベルト通し部を有し、前記軸支部を挟持する挟持部と、前記ベルト通し部に通され、巻き付けられて留められるベルトとを備えることを特徴とする。
【００１１】
本発明においては、ベルトをベビーカー等の外部部材に巻き付けて留めることで、容易に吊り下げ具を外部部材に取り付けることが出来る。
【００１２】
第３発明に係る吊り下げ具は、第２発明において、前記ベルトの裏面に面ファスナを備えることを特徴とする。
【００１３】
本発明においては、種々の径の外部部材に対応させてベルトの長さを変えることが出来、容易に外部部材に取り付けることが出来る。
【００１４】
第４発明に係る吊り下げ具は、第１乃至第３発明のいずれかにおいて、前記係止部が、内周側にピン挿通孔を有する筒状体であり、周方向に複数箇所分割してあり、上部に外周側に突出した突起部を有し、前記軸支部は筒状で、内周側下部に、内径が上部の内径より小さい段部を有し、前記突起部を前記段部に引っ掛けて、前記ピン挿通孔にピンを挿通し、前記係止部が該ピンにより外周側に押し広げられた状態で、前記段部に係止されることを特徴とする。
【００１５】
本発明においては、係止部が軸支部に容易に係止されるとともに、突起部を介し第１フックが段部に対しスムースに回転することが出来る。
【００１６】
第５発明に係る吊り下げ具は、第１乃至第４発明のいずれかにおいて、前記挟持部が軸支部を挟んだ状態で、該軸支部が回転出来るように、該挟持部及び軸支部にピンが架け渡されていることを特徴とする。
【００１７】
本発明においては、簡単な構造で、軸支部が確実に挟持される。
そして、ベビーカーの手押し部等に吊り下げ具を吊り下げて、この吊り下げ具に荷物をぶら下げ、乳幼児が腰掛けた場合に、荷物が後方に押されても、これに対応して後方に軸支部が傾き得るので、荷物が乳幼児を押圧することがない。
【発明の効果】
【００２０】
本発明によれば、各別に回転することが出来る、第１フック及び第２フックの２つのフックを有するので、２つの物品を同時に吊り下げることが出来るとともに、フックに吊り下げた物品の向きを自由に変えることが出来る。
【００２１】
本発明によれば、巻き付けられて留められるベルトを有するので、容易に吊り下げ具を外部部材に取り付けることが出来る。
【発明を実施するための最良の形態】
【００２２】
以下、本発明をその実施の形態を示す図面に基づき具体的に説明する。
図１は、本発明の実施の形態に係る吊り下げ具１を示す斜視図である。
【００２３】
合成樹脂製の吊り下げ具１は、一物品を吊り下げる第１フック２と、他物品を吊り下げる第２フック３と、第１フック２を回転可能に軸支する軸支部４と、軸支部４を挟持する挟持部５と、挟持部５のベルト通し部５２に通されたベルト６とを備える。
【００２４】
図２は、第１フック２を示す側面図である。
第１フック２の第１鉤状部２１は、Ｊ字型の鉤状をなし、第１鉤状部２１の起立部には、連結板２３を介し嵌合軸部２４が設けられている。嵌合軸部２４の上端部には、係止部２５が設けられている。第１鉤状部２１の内側には、幅方向に突出しつつ、内側の曲線に沿って延びる突出部２２が設けられている。
【００２５】
係止部２５は、内周側にピン挿通孔２５ａを有する筒状体であり、周方向に４分割され、上部には外周側に突出した突起部２６，２６，２６，２６が設けられている。嵌合軸部２４の上端部には、ピン挿通孔２５ａに連通するピン挿通孔２４ａが設けられている。
【００２６】
図３は、第２フック３を示す側面図である。
第２フック３の第２鉤状部３１は、第１フック２の第１鉤状部２１の内側に収められるようにＪ字型の鉤状をなし、第２鉤状部３１の上端部の側方には、円筒状であり、嵌合軸部２４に回転可能に嵌合される嵌合筒部３３が連設されている。
第２鉤状部３１の上端部の嵌合筒部３３が設けられている側と反対側には、側面視が半円状である把手部３４が設けられている。
第２鉤状部３１の外側曲線部には、外側に突出した突起部３２が設けられている。
【００２７】
図４は、第１フック２、第２フック３及び軸支部４が連結された状態を示す断面図である。
第２フック３の嵌合筒部３３は、連結板２３により滑り落ちが防止された状態で、嵌合軸部２４に回転可能に嵌合されている。
軸支部４は円筒状であり、内周側下部に、内径が上部の内径より小さい段部４１を有する。軸支部４の上部の大径部４２には、後述するピン５３を横向きに貫通させるためのピン挿通孔４２ａ，４２ａが設けられている。
【００２８】
嵌合軸部２４に嵌合筒部３３が嵌合された状態で、軸支部４が嵌合筒部３３に載置される。そして、係止部２５の突起部２６が段部４１の上面に引っ掛けられ、ピン２７が縦方向にピン挿通孔２５ａ及び２４ａに挿通され、係止部２５がピン２７により外周側に押し広げられた状態で、段部４１の上面に係止される。これにより、係止部２５が軸支部４に容易に係止されるとともに、突起部２６を介し第１フック２が段部４１に対しスムースに回転することが出来る。
【００２９】
図５は、挟持部５を示す側面図である。
挟持部５は、側面視が略逆三角形状である挟持板５１，５１と、該挟持板５１，５１を橋絡し、ベルト通し孔５２ａが設けられたベルト通し部５２とを備える。挟持板５１，５１にはピン５３を横向きに貫通させるためのピン挿通孔５１ａ，５１ａが設けられている。ベルト通し部５２の上面には、吊り下げ具１をベビーカーの手押し部等の外部部材に吊り下げたときに、吊り下げ具１が外部部材に当たってガタついたり、音がしないように、発泡剤からなる緩衝板５４が設けられている。
【００３０】
挟持板５１，５１のピン挿通孔５１ａ，５１ａを、第１フック２を軸支した軸支部４のピン挿通孔４２ａ，４２ａ（図４参照）に外側から合わせ、ピン５３を挿通することで、軸支部４は挟持部５に回転可能に挟持される。
【００３１】
ベルト６のベルト本体６１の一面には全長に亘って面ファスナ６２が設けられている（図１参照）。ベルト本体６１の一端部はバックル６３に取り付けられている。ベルト本体６１の他端部を挟持部５のベルト通し部５２のベルト通し孔５２ａに通した上で、ベビーカーの手押し部等の外部部材に巻き付け、バックル６３の一端部が取り付けられている側と反対側から抜き出し、この側で折り曲げて面ファスナ６２が設けられている面同士を合わせることで、吊り下げ具１は、外部部材に容易に留められる。本実施の形態においては、ベルト本体６１の全面に亘って面ファスナ６２が設けられているので、外部部材の径に対応させて、容易にベルト６の長さを変えることが出来、外部部材に固定することが出来る。
【００３２】
本実施の形態においては、第１フック２と第２フック３との２つのフックを有するので、２つの物品を同時に吊り下げることが出来る。
また、第２フック３は第１フック２に対して回転することが出来、第１フック２は軸支部４に対して回転することが出来るので、第１フック２及び第２フック３に吊り下げた物品の向きを自由に変えることが出来、同時に吊り下げた２つの物品がぶつからないようにすることが出来る。第２フック３は把手部３４を備えるので、この把手部３４を持って容易に第２フック３を回転させることが出来る。
また、ベビーカーの手押し部等に吊り下げ具１を吊り下げて、この吊り下げ具１に荷物をぶら下げ、乳幼児が腰掛けた場合に、荷物が後方に押されても、これに対応して軸支部４が後方に回転して傾き得るので、荷物が乳幼児を押圧することがない。
【００３３】
なお、本発明の吊り下げ具の構成は前記実施の形態において説明した構成に限定されず、本発明の吊り下げ具は、種々の設計変更が可能である。
【図面の簡単な説明】
【００３４】
【図１】本発明の実施の形態に係る吊り下げ具を示す斜視図である。
【図２】第１フックを示す側面図である。
【図３】第２フックを示す側面図である。
【図４】第１フック、第２フック及び軸支部が連結された状態を示す断面図である。
【図５】挟持部を示す側面図である。
【符号の説明】
【００３５】
１  吊り下げ具
２  第１フック
２１  第１鉤状部
２２  突出部
２３  連結板
２４  嵌合軸部
２５  係止部
３  第２フック
３１  第２鉤状部
３２  突起部
３３  嵌合筒部
３４  把手部
４  軸支部
４１  段部
４２  大径部
４２ａ  ピン挿通孔
５  挟持部
５１  挟持板
５１ａ  ピン挿通孔
５２  ベルト通し部
５２ａ  ベルト通し孔
５３  ピン
５４  緩衝板
６  ベルト
６１  ベルト本体
６２  面ファスナ
６３  バックル
【図１】
0004524266.tif 000002
【図２】
0004524266.tif 000003
【図３】
0004524266.tif 000004
【図４】
0004524266.tif 000005
【図５】
0004524266.tif 000006